(57)【要約】【課題】ハンガーの鈎部をポールに掛けたときの、そのポールに対する鈎部の係着が、大径のポールと小径のポールとのそれぞれに対し、適確に係着させ得るようにし、かつ、鈎部をロープに掛けたときのそのロープに対する鈎部の係着が、ロープの径が大・小に変化しても適確に得られるようになる。【解決手段】Ｖ字状の係止部材３を、支軸３３中心に上下に回動自在に鈎部２に軸支し、鈎部２の遊端側部２ｂの内面に大径のポールＰの周面の他半側に対し圧接するポール承け面ｗを設け、鈎部２の内側空間の上部には、立上り部２ａの内面と遊端側部２ｂの内面とから天井部に向け突き出して合掌状に対向する一対のロープ挟持アーム４０・４１を、弾性を具備する資材により成形して設け、それの下面側に、小径のポールＰ’の周面の他半側に圧接するポール承け面ｙを形設する。【選択図】図２
2005218625.tif 000002
【特許請求の範囲】
【請求項１】
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とが、Ｖ字形をなすようにボス部３２から突出する係止部材３を、それのボス部３２に設けた支軸３３と鈎部２の立上り部２ａの上下の中間部位に設けた嵌合軸部２０とにより、支軸３３中心に上下に回動自在に軸支し、鈎部２の遊端側部２ｂの内面で前記嵌合軸部２０と対向する部位に、係止部材３に周面の一半側が抱え込まれた大径のポールＰの周面の他半側に対し圧接するポール承け面ｗを設け、鈎部２の内側空間の上部には、鈎部２の立上り部２ａの内面と遊端側部２ｂの内面とからそれぞれ前記内側空間の天井部に向け突き出して合掌状に対向する一対のロープ挟持アーム４０・４１を、弾性を具備する資材により成形して設け、それらロープ挟持アーム４０・４１の下面側に、前記係止部材３に周面の一半側が抱え込まれる小径のポールＰ’の周面の他半側に圧接するポール承け面ｙを形設したことを特徴とする係止装置付きハンガー。
【請求項２】
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とがボス部３２からＶ字状をなすように突出する係止部材３を、それのボス部３２に設けた支軸３３と鈎部２の遊端側部２ｂの下端に寄る部位に設けた嵌合軸部２０とにより、支軸３３中心に上下に回動自在に軸支し、鈎部２の立上り部２ａの内面で前記嵌合軸部２０と対向する部位に、係止部材３に周面の一半側が抱き込まれた大径のポールＰの周面の他半側に対し圧接するポール承け面ｗを設け、鈎部２の内側空間の上部には、鈎部２の立上り部２ａの内面と遊端側部２ｂの内面とから前記内側空間の天井部に向け突出して合掌状に対向する一対のロープ挟持アーム４０・４１を、弾性を具備する資材により形成して設け、それらロープ挟持アーム４０・４１の下面側に、前記係止部材３に周面の一半側が抱き込まれる小径のポールＰ’の周面の他半側に圧接するポール承け面ｙを形設したことを特徴とする係止装置付きハンガー。
【請求項３】
係止部材３と鈎部２と鈎部２の内側空間に設ける一対のロープ挟持アーム４０・４１とを、弾性を具備する資材により形成しておくことを特徴とする請求項１または請求項２記載の係止装置付きハンガー。
【発明の詳細な説明】
【技術分野】
【０００１】
本発明は、洗濯した衣服類を懸架したハンガーを、物干場に設けた物干用のポールまたはロープに引き掛けて吊り下げたときに、洗濯物が風であおられても、ハンガーがポールまたはロープから外れて飛ばされることのないように、ハンガーをポールまたはロープに対し係止せしめる係止装置付きハンガーに関する。
【背景技術】
【０００２】
ハンガーに掛けた洗濯物を物干場に吊して干すとき、その洗濯物を懸架せるハンガーは、物干場にポール（物干竿）が設置してある場合には、ハンガーの鈎部をポールに引き掛けて吊し、また、物干場にロープ（物干紐）が設置している場合には、ハンガーの鈎部をロープに引き掛けて吊して、洗濯物を干すようにする。
【０００３】
ポールまたはロープに鈎部を引き掛けて吊した洗濯物を懸架したハンガーは、鈎部とポールまたはロープとの接触面に、ハンガーおよび洗濯物の重量による荷重が加わることで、かなりの接触圧が加えられることから、ポールまたはロープの長手方向に動くことなく、引き掛けた位置に保定されるようになるが、風であおられると、簡単に横すべりしたり外れたりするようになる。これは、洗濯物が風であおられて浮き上がったときに、洗濯物およびハンガーが重量を消失させた状態となって、鈎部とポールまたはロープとの接触部位にかかる重量による接触圧が無くなり、僅かの外力で横に動くようになり、また外れるようになることによる。
【０００４】
この洗濯物が風で浮き上がったときに、重量を消失させた状態となることで生ずるハンガーのポールまたはロープに対する横すべりおよび外れを防止するため、ハンガーの鈎部に、その鈎部をポールに引き掛けたときに、そのポールを抱え込むようになるＶ字状の係止部材を、弾性資材により成形して、支軸により上下に回動自在に設けておいて、ポールに鈎部を掛けてハンガーを吊したときに、鈎部とポールとを係着させるようにする手段が、特許第２９４９０６２号公報により従来から知られている。
【０００５】
この手段には、物干場に設置して使用されているポールに、外径が約３０ミリのパイプ材で形成されているう大径のものと、外径が約２２ミリのパイプ材で形成されている小径のものとの２種類があることで、鈎部に軸支するＶ字状の係止部材によるポールに対する鈎部の係着作用が、大径と小径とのポールのうちの、何れか一方には良く対応するが他方への対応が不充分になる問題がある。
【０００６】
ハンガーの鈎部をロープに掛けて吊したときに、鈎部をロープに対し係着させるようにする手段には、特開平７−４７１９３号公報にあるように、上位側のアームと下位側のアームとの各一端側がボス部において接続してポールを抱き込む略フ字状に形成した係止部材を、それのボス部を鈎部に支軸中心に上下に回動するように軸支しておいて、鈎部をポールに掛けたときにこの係止部材がポールを抱え込むようにする際に、この係止部材の上位側のアームの回動端側の内面にロープを嵌合させるロープ抱き込み溝を形成しておいて、ここに嵌合するロープを鈎部の内壁面に圧接させて、ロープに対する鈎部の係着を図るようにする手段がある。この手段は、ロープの径が大・小に変化したときに、嵌合がきつくなったり、あまくなったりして、ロープに対する鈎部の係着に不具合が生じてくる問題がある。
【特許文献１】特許第２９４９０６２号公報
【特許文献２】特開平７−４７１９３号公報
【発明の開示】
【発明が解決しようとする課題】
【０００７】
本発明において解決しようとする課題は、ハンガーの鈎部をポールに掛けたときの、そのポールに対する鈎部の係着が、大径のポールと小径のポールとのそれぞれに対し、適確に係着させ得るようにし、かつ、鈎部をロープに掛けたときのそのロープに対する鈎部の係着が、ロープの径が大・小に変化しても適確に得られるようになる手段を得ることにある。
【課題を解決するための手段】
【０００８】
そして本発明においては、この課題を解決するための手段として、請求項１に記載している、
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とが、Ｖ字形をなすようにボス部３２から突出する係止部材３を、それのボス部３２に設けた支軸３３と鈎部２の立上り部２ａの上下の中間部位に設けた嵌合軸部２０とにより、支軸３３中心に上下に回動自在に軸支し、鈎部２の遊端側部２ｂの内面で前記嵌合軸部２０と対向する部位に、係止部材３に周面の一半側が抱え込まれた大径のポールＰの周面の他半側に対し圧接するポール承け面ｗを設け、鈎部２の内側空間の上部には、鈎部２の立上り部２ａの内面と遊端側部２ｂの内面とからそれぞれ前記内側空間の天井部に向け突き出して合掌状に対向する一対のロープ挟持アーム４０・４１を、弾性を具備する資材により成形して設け、それらロープ挟持アーム４０・４１の下面側に、前記係止部材３に周面の一半側が抱え込まれる小径のポールＰ’の周面の他半側に対し圧接するポール承け面ｙを形設したことを特徴とする係止装置付きハンガーを提起し、また、これに併せて、
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とがボス部３２からＶ字状をなすように突出する係止部材３を、それのボス部３２に設けた支軸３３と鈎部２の遊端側部２ｂの下端に寄る部位に設けた嵌合軸部２０とにより、支軸３３中心に上下に回動自在に軸支し、鈎部２の立上り部２ａの内面で前記嵌合軸部２０と対向する部位に、係止部材３に周面の一半側が抱き込まれた大径のポールＰの周面の他半側に対し圧接するポール承け面ｗを設け、鈎部２の内側空間の上部には、鈎部２の立上り部２ａの内面と遊端側部２ｂの内面とから前記内側空間の天井部に向け突出して合掌状に対向する一対のロープ挟持アーム４０・４１を、弾性を具備する資材により形成して設け、それらロープ挟持アーム４０・４１の下面側に、前記係止部材３に周面の一半側が抱き込まれる小径のポールＰ’の周面の他半側に圧接するポール承け面ｙを形設したことを特徴とする係止装置付きハンガーを提起するものである。
【０００９】
さらに、これに併せて、係止部材３と鈎部２と鈎部２の内側空間に設ける一対のロープ挟持アーム４０・４１とを、弾性を具備する資材により形成しておく手段を提起するものである。
【発明の効果】
【００１０】
本発明手段による係止装置付きハンガーは、大径のポールに鈎部を掛けたときは、係止部材３に周面の一半側が抱え込まれた大径のポールＰの周面の他半側が、鈎部２の内周側に設けたポール承け面ｗに圧接していくことで、鈎部２がポールＰに対し係着し、小径のポールＰ’に鈎部２を掛けたときは、ポールＰ’の周面の一半側を抱え込んだ係止部材３が上方に回動して、鈎部２の内側空間の上部に設けた合掌状に対向する弾性資材よりなる一対のロープ挟持アーム４０・４１の下面側に設けたポール承け面ｙにポールＰ’の周面の他半側が圧接していくことで鈎部２がポールＰ’に対して係着していくようになり、また、ロープＲに鈎部２を掛けたときは、ロープＲが係止部材３を上方に回動させてそれから脱け出し、鈎部２の内側空間の天井部に設けた弾性資材よりなる一対のロープ挟持アーム４０・４１の間隔内に嵌入して弾性的に挟持されることで、ロープＲの径が変化しても、鈎部２のロープＲに対する係着が行われるようになる。従って、大径と小径のポールとロープとの三者に対して鈎部を係着させていけるようになる。
【発明を実施するための最良の形態】
【００１１】
本発明手段の実施において、ボス部３２から上位側のアーム３０と下位側のアーム３１とが正面視においてＶ字状に突出する形状に形成して、鈎部２にボス部３２中心に上下に回動自在に軸支する係止部材３は、バネ材または弾性を有する合成樹脂材等の弾性資材により成形しておくことで、この係止部材３に一半側を抱え込まれたポールＰの周面の他半側が鈎部２に設けたポール承け面ｗに対して圧接して、上位側のアーム３０と下位側のアーム３１との間隔の奥に向け押し込まれたとき、そのポールＰを上位および下位のアーム４０・４１の復元力で間隔の開放口側に押し出すようにすることによって、ポール承け面ｗに対するポールＰの圧接を効果的にするが、ポール承け面ｗを形成する鈎部２を、バネ材または弾性を有する合成樹脂材等の弾性資材により成形して、係止部材３に周面の一半側が抱え込まれたポールＰの周面の他半側が、この鈎部２に設けたポール承け面ｗに圧接してきたときに、鈎部２が弾性的に撓むようにするときには、硬質の合成樹脂材などで、撓曲が殆どない剛体のものに形成してよい。
【００１２】
また、弾性資材で成形して鈎部２の内側空間の天井部に、合掌状に対向するよう設ける一対の挟持アーム４０・４１は、鈎部２を弾性を具備する合成樹脂で形成するときは、その合成樹脂材で鈎部２と一緒に成形して、鈎部２と一対のロープ挟持アーム４０・４１とが一体に連続するものとして成形してよく、このとき、Ｖ字形に形成して鈎部２に軸支する係止部材３も同じ合成樹脂材で成形するようにしてよい。
【実施例１】
【００１３】
次に実施例を、図面に従い例示する。
図１乃至図３は、本発明手段を実施せる係止装置付きハンガーを示し、図１は全体の正面図、図２は同上ハンガーの鈎部の正面図、図３は同上鈎部の係止部材を組付ける前の状態における正面図、図４は同上の係止部材の正面図、図５は同上の係止部材の平面図、図６は同上の底面図、図７は同上の左側面図、図８は同上の右側面図で、これらの図において、１はハンガーＡの主体部、２は同上主体部１の頂部に連結する鈎部、３はその鈎部２に装着せる係止部材、３０はその係止部材３の上位側のアーム、３１は同上の下位側のアーム、３２は同上のボス部、３３は同上のボス部３２に設けた支軸、４は鈎部２の内側空間の天井部に設けた一対のロープ挟持アーム４０・４１を合掌状に対向させて形成せるロープ係止部材、ｗは鈎部２の内壁面に設けた大径のポール用のポール承け面、ｙは前記ロープ係止部材４の一対のロープ挟持アーム４０・４１の下面側に形成した小径のポール用のポール承け面を示す。
【００１４】
鈎部２は、立上り部２ａとそれの上端側からループ状に折り返して垂下する遊端側部２ｂとで、フック状に形成される通常の形態のものであり、この例においては、弾性を有する軟質の合成樹脂材により成形してあって、それの立上り部２ａの下端側を、別に合成樹脂材で適宜の形状に成形されるハンガーＡの主体部１の頂部に形設しておく連結軸部１０に対し、嵌合により回転自在に連結してある。この鈎部２は、ハンガーＡの主体部１と一体に連続させて成形する場合もある。
【００１５】
この鈎部２には、それの立上り部２ａの上下の中間部位に、係止部材３のボス部３２に設けた支軸３３を嵌合せしめて、その係止部材３を上下に回動自在に軸支するための嵌合軸部２０が、該鈎部２を合成樹脂材で成形する際に形成してある。
【００１６】
該鈎部２は、それの横断面が円柱状をなす軸杆状に成形してあるが、前述の嵌合軸部２０に嵌合する支軸３３により上下に回動する係止部材３の回動範囲と重合する部位は、前後の巾を狭くした平板状に形成してあって、軸支した係止部材３を含めた前後の巾が、軸杆状に成形してある立上り部２ａの前後の巾内に納まるようにしてある。そして、主体部１を形成する骨格部も、鈎部２の立上り部２ａと同径の軸状体で成形してあることで、係止部材３を組み付けた鈎部２を含むハンガー１の全体が、前後の巾となる厚さを同一に揃えたものとしている。
【００１７】
また、鈎部２の内側空間の天井部位に設ける合掌状に対向する一対のロープ挟持アーム４０・４１よりなるロープ係止部材４も、鈎部２の成形に用いた弾性を有する合成樹脂材で、鈎部２の成形の際に一緒に成形することで、鈎部２と一体に連続する形態で弾性的に撓曲するようにしている。
【００１８】
この鈎部２に、ボス部３２に設ける支軸３３により回動自在に軸支する前述の係止部材３は、図１および図４にあるように、ボス部３３から上位側のアーム３０と下位側のアーム３１とが、それぞれ突出して、正面視において略Ｖ字状をなす形状に形成するが、それの上位側のアーム３０は、鈎部２の内側空間を横切る長さに、下位側のアーム３１はそれより短く形成し、かつ、上位及び下位のアーム３０・３１の重量で下降回動した常態時において、長く形成した上位側のアーム３０が前記内側空間を横切る位置に保持されるように、この係止部材３の回動範囲を規制するストッパＳを、鈎部２に形設しておく、このストッパＳは、この例においては、軸杆状をなす立上り部２ａと、平板状をなす遊端側部２ｂとの境界の段差部により形成している。そしてこれにより、鈎部２をポールＰまたはロープＲに掛けたときに、そのポールＰまたはロープＲが鈎部２の内側空間を横切る上位側のアーム３０の下面に必ず衝合して係止部材３を上向きに回動させるようにしている。
【００１９】
鈎部２の内周面に形成する大径のポール用のポール承け面ｗは、そこに、係止部材３に周面の一半側が抱え込まれたポールＰの周面の他半側が当接したときに、それに嵌合するよう正面視において弧状の彎曲面に形成するが、そのポール承け面ｗは、図９にあるように、係止部材３に一半側が抱え込まれたポールＰが、鈎部２のお下降作動で相対的に係止部材３と共に支軸３３中心に上昇回動していくときの、そのポールＰの周面の他半側の外端の回動軌跡ｚよりも、内側に位置するように形設しておき、これによりポールＰの周面の外端側が回動軌跡ｚに従い上昇していくときに、ポール承け面ｗに圧接していくことで、そのポールＰがＶ字状の係止部材３の上位及び下位のアーム３０・３１の間隔を押し拡げながら間隔の奥に押し込まれ、このときのアーム３０・３１の復元力がポールＰを押し出すように働いてポール承け面ｗに圧接していくようにしている。
【００２０】
この弾性の復元力によりポールＰをポール承け面ｗに圧接させる作動は、鈎部２を弾性資材により成形しているときは、鈎部の弾性変形を利用して行ってよく、係止部材３は、弾性が殆どない硬質の樹脂材で剛体状に形成してよい。
【００２１】
また、この係止部材３は、図４乃至図８に示しているように、長い上位側のアーム３０及び短い下位側のアーム３１は、それぞれが、鈎部２の平板状に形成してある遊端側部２ｂの前後の巾に対応する間隔をおいて前後に対向する一対の板部材３００、３０１・３１０、３１１と、それらの突出端部に渡架するつなぎ部材３０２・３１２と、ボス部３２に設ける支軸３２とで、中空の短冊状に形成してあり、支軸３２を鈎部２に設けた嵌合軸部２０に嵌合して軸着することで、前後の一対の板部材３００、３０１・３１０、３１１が、鈎部２の平板状の遊端側部２ｂの前後の両側を、鈎部２の立上り部２ａの前後の厚さ範囲で回動するようにしている。
【００２２】
また、小径のポールＰ’に鈎部２を掛けたときに、係止部材３により抱え込まれる小径のポールＰ’の周面の外端側が圧接していくように設けるポール承け面ｙは、鈎部２の内側空間の天井部に設けるロープ係止部材４の合掌状に対向する一対のロープ挟持アーム４０・４１を利用し、それらの下面側に形成してあり、これにより、係止部材３に抱え込まれた小径のポールＰ’が係止部材３と共に上方に回動したときに、このロープ挟持アーム４０・４１の下面側のポール承け面ｙに小径のポールＰ’の周面の外端側が押し付けられるようにしている。
【００２３】
このポール承け面ｙも、図１１にあるように、係止部材３に抱え込まれて回動する小径のポールＰ’の周面の外端側の回動軌跡ｚの内側に位置してくるように形成しておいて、小径のポールＰ’の周面が当接するときに、ロープ挟持アーム４０・４１を弾性的に撓ませながら図１２にあるように圧接していき、このときの、弾性の復元力でポールＰ’に対する鈎部２の係着が行われるようにしてある。
【００２４】
また、ロープＲに掛けたときは、そのロープＲが図３にあるよう一対のロープ挟持アーム４０・４１の合掌状に対向する部位に嵌入して、ここに挟持されて、鈎部２とロープＲとの係着が行われるようにしてある。
【実施例２】
【００２５】
図１２および図１３は、別の実施例を示している。
この例は、係止部材３の支軸３３を回動自在に軸支するように鈎部２に設ける嵌合軸部２０を、鈎部２の遊端側部２ｂの上下の中間部位に形成して、係止部材３が鈎部２の遊端側部２ｂに軸支している例であり、鈎部２に対する係止部材３の軸支位置が鈎部２の立上り部２ａから遊端側部２ｂに変位しているだけで、係止部材３の構成および鈎部２およびこれに設けるロープ係止部材４ならびにポール承け面ｗ・ｙについては前述の実施例と変わりなく構成してあるもので、その構成についての説明は同じ構成部材に同じ符号を付して詳しい説明を省略する。
この実施例は、実施例１と変わりなく作用する。
【図面の簡単な説明】
【００２６】
【図１】本発明を実施せる係止装置付きハンガーの全体の正面図である。
【図２】同上の鈎部の正面図である。
【図３】同上の鈎部の係止部材を組付ける前の状態における正面図である。
【図４】同上の鈎部に組付ける係止部材の正面図である。
【図５】同上の係止部材の平面図である。
【図６】同上の係止部材の底面図である。
【図７】同上の係止部材の左側面図である。
【図８】同上の係止部材の右側面図である。
【図９】同上の鈎部のポール承け面と大径のポールとの関係を示す説明図である。
【図１０】同上の鈎部を大径のポールに掛けた状態の説明図である。
【図１１】同上の鈎部を小径のポールに対応させた状態の説明図である。
【図１２】同上の鈎部を小径のポールに掛けた状態の説明図である。
【図１３】同上の別の実施例における鈎部の正面図である。
【図１４】同上実施例の鈎部の係止部材を組付ける前の状態における正面図である。
【符号の説明】
【００２７】
Ａ…ハンガー、Ｐ…大径のポール、Ｐ’…小径のポール、Ｒ…ロープ、Ｓ…ストッパ、ｗ…大径のポール承け面、ｙ…小径のポール承け面、ｚ・ｚ’…回動軌跡、１…主体部、１０…連結軸部、２…鈎部、２ａ…立上り部、２ｂ…遊端側部、２０…嵌合軸部、３…係止部材、３０…上位側のアーム、３００・３０１…板部材、３０２・３１２…つなぎ部材、３１…下位側のアーム、３１０・３１１…板部材、３２…ボス部、３３…支軸、４…ロープ係止部材、４０・４１…ロープ挟持アーム。
【図１】
2005218625.tif 000003
【図２】
2005218625.tif 000004
【図３】
2005218625.tif 000005
【図４】
2005218625.tif 000006
【図５】
2005218625.tif 000007
【図６】
2005218625.tif 000008
【図７】
2005218625.tif 000009
【図８】
2005218625.tif 000010
【図９】
2005218625.tif 000011
【図１０】
2005218625.tif 000012
【図１１】
2005218625.tif 000013
【図１２】
2005218625.tif 000014
【図１３】
2005218625.tif 000015
【図１４】
2005218625.tif 000016
【手続補正書】
【提出日】平成16年2月18日(2004.2.18)
【手続補正１】
【補正対象書類名】特許請求の範囲
【補正対象項目名】請求項１
【補正方法】変更
【補正の内容】
【請求項１】
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とが、Ｖ字形をなすようにボス部３２から突出する係止部材３を、それのボス部３２に設けた支軸３３と鈎部２の立上り部２ａの上下の中間部位に設けた嵌合軸部２０とにより、支軸３３中心に上下に回動自在に軸支し、鈎部２の遊端側部２ｂの内面で前記嵌合軸部２０と対向する部位に、係止部材３に周面の一半側が抱え込まれた大径のポールＰの周面の他半側に対し圧接するポール承け面ｗを設け、鈎部２の内側空間の上部には、鈎部２の立上り部２ａの内面と遊端側部２ｂの内面とからそれぞれ前記内側空間の天井部に向け突き出して合掌状に対向する一対のロープ挟持アーム４０・４１を、弾性を具備する資材により成形して設け、それらロープ挟持アーム４０・４１の両方または一方の下面側に、前記係止部材３に周面の一半側が抱え込まれる小径のポールＰ’の周面の他半側に圧接するポール承け面ｙを形設したことを特徴とする係止装置付きハンガー。
【手続補正２】
【補正対象書類名】特許請求の範囲
【補正対象項目名】請求項２
【補正方法】変更
【補正の内容】
【請求項２】
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とがボス部３２からＶ字状をなすように突出する係止部材３を、それのボス部３２に設けた支軸３３と鈎部２の遊端側部２ｂの下端に寄る部位に設けた嵌合軸部２０とにより、支軸３３中心に上下に回動自在に軸支し、鈎部２の立上り部２ａの内面で前記嵌合軸部２０と対向する部位に、係止部材３に周面の一半側が抱き込まれた大径のポールＰの周面の他半側に対し圧接するポール承け面ｗを設け、鈎部２の内側空間の上部には、鈎部２の立上り部２ａの内面と遊端側部２ｂの内面とから前記内側空間の天井部に向け突出して合掌状に対向する一対のロープ挟持アーム４０・４１を、弾性を具備する資材により形成して設け、それらロープ挟持アーム４０・４１の両方または一方の下面側に、前記係止部材３に周面の一半側が抱き込まれる小径のポールＰ’の周面の他半側に圧接するポール承け面ｙを形設したことを特徴とする係止装置付きハンガー。
【手続補正３】
【補正対象書類名】明細書
【補正対象項目名】０００８
【補正方法】変更
【補正の内容】
【０００８】
そして本発明においては、この課題を解決するための手段として、請求項１に記載している、
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とが、Ｖ字形をなすようにボス部３２から突出する係止部材３を、それのボス部３２に設けた支軸３３と鈎部２の立上り部２ａの上下の中間部位に設けた嵌合軸部２０とにより、支軸３３中心に上下に回動自在に軸支し、鈎部２の遊端側部２ｂの内面で前記嵌合軸部２０と対向する部位に、係止部材３に周面の一半側が抱え込まれた大径のポールＰの周面の他半側に対し圧接するポール承け面ｗを設け、鈎部２の内側空間の上部には、鈎部２の立上り部２ａの内面と遊端側部２ｂの内面とからそれぞれ前記内側空間の天井部に向け突き出して合掌状に対向する一対のロープ挟持アーム４０・４１を、弾性を具備する資材により成形して設け、それらロープ挟持アーム４０・４１の両方または一方の下面側に、前記係止部材３に周面の一半側が抱え込まれる小径のポールＰ’の周面の他半側に対し圧接するポール承け面ｙを形設したことを特徴とする係止装置付きハンガーを提起し、また、これに併せて、
ハンガーＡの主体部１の頂部に立上り部２ａの下端が連結する鈎部２に、正面視において、その鈎部２の内側空間を横切る長さの上位側のアーム３０と前記内側空間より短い長さの下位側のアーム３１とがボス部３２からＶ字状をなすように突出する係止部材３を、それのボス部３２に設けた支軸３３と鈎部２の遊端側部２ｂの下端に寄る部位に設けた嵌合軸部２０とにより、支軸３３中心に上下に回動自在に軸支し、鈎部２の立上り部２ａの内面で前記嵌合軸部２０と対向する部位に、係止部材３に周面の一半側が抱き込まれた大径のポールＰの周面の他半側に対し圧接するポール承け面ｗを設け、鈎部２の内側空間の上部には、鈎部２の立上り部２ａの内面と遊端側部２ｂの内面とから前記内側空間の天井部に向け突出して合掌状に対向する一対のロープ挟持アーム４０・４１を、弾性を具備する資材により形成して設け、それらロープ挟持アーム４０・４１の両方または一方の下面側に、前記係止部材３に周面の一半側が抱き込まれる小径のポールＰ’の周面の他半側に圧接するポール承け面ｙを形設したことを特徴とする係止装置付きハンガーを提起するものである。
【手続補正４】
【補正対象書類名】明細書
【補正対象項目名】００１１
【補正方法】変更
【補正の内容】
【００１１】
本発明手段の実施において、ボス部３２から上位側のアーム３０と下位側のアーム３１とが正面視においてＶ字状に突出する形状に形成して、鈎部２にボス部３２中心に上下に回動自在に軸支する係止部材３は、バネ材または弾性を有する合成樹脂材等の弾性資材により成形しておくことで、この係止部材３に一半側を抱え込まれたポールＰの周面の他半側が鈎部２に設けたポール承け面ｗに対して圧接して、上位側のアーム３０と下位側のアーム３１との間隔の奥に向け押し込まれたとき、そのポールＰを上位および下位のアーム３０・３１の復元力で間隔の開放口側に押し出すようにすることによって、ポール承け面ｗに対するポールＰの圧接を効果的にするが、ポール承け面ｗを形成する鈎部２を、バネ材または弾性を有する合成樹脂材等の弾性資材により成形して、係止部材３に周面の一半側が抱え込まれたポールＰの周面の他半側が、この鈎部２に設けたポール承け面ｗに圧接してきたときに、鈎部２が弾性的に撓むようにするときには、硬質の合成樹脂材などで、撓曲が殆どない剛体のものに形成してよい。
【手続補正５】
【補正対象書類名】図面
【補正対象項目名】図１
【補正方法】変更
【補正の内容】
【図１】
2005218625.tif 000017